(57)【特許請求の範囲】
【請求項１】
複数のアドレス帳情報を記憶する情報記憶手段と、
動画像を記憶する画像記憶手段と、
前記情報記憶手段の中で任意に指定されたアドレス帳情報に対して所望する画像を関連づけて登録する際は、動画像をそのまま動画として登録するか、当該動画像を静止画として登録するか、を任意に選択する画像選択手段と、
前記動画像を静止画として登録することが選択された際は、当該動画像の中で静止画対象となる所望するフレーム画像を選択するフレーム選択手段と、
前記動画像をそのまま動画として登録することが選択された際は、前記選択された動画像の動画識別情報を前記情報記憶手段内の前記指定のアドレス帳情報に関連づけて記憶させ、前記動画像を静止画として登録することが選択されてフレーム画像が選択された際は、前記選択された動画像の動画識別情報と当該動画像内において選択されたフレーム画像のフレーム識別情報とを前記情報記憶手段内の前記指定のアドレス帳情報に関連づけて記憶させる記憶制御手段と、
前記アドレス帳情報を表示する際は、当該アドレス帳情報に関連づけて動画識別情報とフレーム識別情報とが登録されている場合には、前記動画識別情報に対応する動画像の内で前記フレーム識別情報で特定されるフレーム画像を前記アドレス帳情報と共に静止画表示する表示制御手段と、
を備えたことを特徴とする情報表示端末。
【請求項２】
前記記憶制御手段は、所望の大きさ及び当該フレーム画像における所望の位置を示す画像領域を識別する画像領域識別情報を前記アドレス帳情報と関連付けて記憶させ、
前記表示制御手段は、前記画像領域識別情報に基づいて、前記アドレス帳情報に関連付けられたフレーム画像の前記画像領域を前記表示手段に表示させることを特徴とする請求項１に記載の情報表示端末。
【請求項３】
前記画像記憶手段は、静止画像を記憶し、
前記画像選択手段は、前記画像記憶手段に記憶された各画像の内で静止画像を関連づけて登録する際は、静止画像をそのまま静止画として登録するか、前記動画像を静止画として登録するか、を任意に選択可能であり、
前記記憶制御手段は、前記静止画像をそのまま静止画として登録することが選択された際は、前記選択された静止画像の静止画識別情報を前記情報記憶手段内の前記指定のアドレス帳情報に関連づけて記憶させ、前記動画像を静止画として登録することが選択されてフレーム画像が選択された際は、前記選択された動画像の動画識別情報と当該動画像内において選択されたフレーム画像のフレーム識別情報とを前記情報記憶手段内の前記指定のアドレス帳情報に関連づけて記憶させることを特徴とする請求項１に記載の情報表示端末。
【請求項４】
複数のアドレス帳情報を記憶する情報記憶ステップと、
動画像を記憶する画像記憶ステップと、
前記アドレス帳情報の中で任意に指定されたアドレス帳情報に対して所望する画像を関連づけて登録する際は、動画像をそのまま動画として登録するか、当該動画像を静止画として登録するか、を任意に選択する画像選択ステップと、
前記動画像を静止画として登録することが選択された際は、当該動画像の中で静止画対象となる所望するフレーム画像を選択するフレーム選択ステップと、
前記動画像をそのまま動画として登録することが選択された際は、前記選択された動画像の動画識別情報を前記指定のアドレス帳情報に関連づけて記憶させ、前記動画像を静止画として登録することが選択されてフレーム画像が選択された際は、前記選択された動画像の動画識別情報と当該動画像内において選択されたフレーム画像のフレーム識別情報とを前記指定のアドレス帳情報に関連づけて記憶させる記憶制御ステップと、
前記アドレス帳情報を表示する際は、当該アドレス帳情報に関連づけて動画識別情報とフレーム識別情報とが登録されている場合には、前記動画識別情報に対応する動画像の内で前記フレーム識別情報で特定されるフレーム画像を前記アドレス帳情報と共に静止画表示する表示制御ステップと、
を含むことを特徴とする情報表示方法。
【請求項５】
コンピュータを、
複数のアドレス帳情報を記憶する情報記憶手段と、
動画像を記憶する画像記憶手段と、
前記情報記憶手段の中で任意に指定されたアドレス帳情報に対して所望する画像を関連づけて登録する際は、動画像をそのまま動画として登録するか、当該動画像を静止画として登録するか、を任意に選択する画像選択手段と、
前記動画像を静止画として登録することが選択された際は、当該動画像の中で静止画対象となる所望するフレーム画像を選択するフレーム選択手段と、
前記動画像をそのまま動画として登録することが選択された際は、前記選択された動画像の動画識別情報を前記情報記憶手段内の前記指定のアドレス帳情報に関連づけて記憶させ、前記動画像を静止画として登録することが選択されてフレーム画像が選択された際は、前記選択された動画像の動画識別情報と当該動画像内において選択されたフレーム画像のフレーム識別情報とを前記情報記憶手段内の前記指定のアドレス帳情報に関連づけて記憶させる記憶制御手段と、
前記アドレス帳情報を表示する際は、当該アドレス帳情報に関連づけて動画識別情報とフレーム識別情報とが登録されている場合には、前記動画識別情報に対応する動画像の内で前記フレーム識別情報で特定されるフレーム画像を前記アドレス帳情報と共に静止画表示する表示制御手段と、
として機能させるためのプログラム。
【発明の詳細な説明】
【技術分野】
【０００１】
本発明は、情報に関連付けられた画像を表示する情報表示端末、情報表示方法及びプログラムに関する。
【背景技術】
【０００２】
従来より、携帯端末においては、名前、電話番号、電子メールアドレス等のアドレス帳情報を対応付けて記憶するアドレス帳機能を備えており、近年では、個々のアドレス帳情報に対応する顔画像等の画像を関連付けて登録、記憶しておくことにより、アドレス帳情報を表示する際に併せて画像を表示することも可能となっている（例えば、特許文献１参照）。
【特許文献１】特開２００４―３３６７１１号公報
【発明の開示】
【発明が解決しようとする課題】
【０００３】
ところで、アドレス帳情報には静止画像のみでなく動画像を登録することができるが、動画像の中の一シーンを静止画像としてアドレス帳情報に登録したい場合、メモリに保存された動画像を読み出して、そのシーンのフレーム画像を静止画像としてメモリに保存し、保存した画像をアドレス帳情報に登録するといった作業が必要であり、手間がかかるとともに、静止画像として保存するためのメモリ容量も必要となっていた。
【０００４】
本発明の課題は、情報に動画像の一シーンを関連付けて登録する際に、登録操作を容易に行えるようにするとともに、登録に係るメモリ消費を低減することである。
【課題を解決するための手段】
【０００５】
請求項１に記載の発明は、複数のアドレス帳情報を記憶する情報記憶手段と、動画像を記憶する画像記憶手段と、前記情報記憶手段の中で任意に指定されたアドレス帳情報に対して所望する画像を関連づけて登録する際は、動画像をそのまま動画として登録するか、当該動画像を静止画として登録するか、を任意に選択する画像選択手段と、前記動画像を静止画として登録することが選択された際は、当該動画像の中で静止画対象となる所望するフレーム画像を選択するフレーム選択手段と、前記動画像をそのまま動画として登録することが選択された際は、前記選択された動画像の動画識別情報を前記情報記憶手段内の前記指定のアドレス帳情報に関連づけて記憶させ、前記動画像を静止画として登録することが選択されてフレーム画像が選択された際は、前記選択された動画像の動画識別情報と当該動画像内において選択されたフレーム画像のフレーム識別情報とを前記情報記憶手段内の前記指定のアドレス帳情報に関連づけて記憶させる記憶制御手段と、前記アドレス帳情報を表示する際は、当該アドレス帳情報に関連づけて動画識別情報とフレーム識別情報とが登録されている場合には、前記動画識別情報に対応する動画像の内で前記フレーム識別情報で特定されるフレーム画像を前記アドレス帳情報と共に静止画表示する表示制御手段と、を備えたことを特徴としている。
【発明の効果】
【００１１】
本発明によれば、情報に動画像の一シーンを関連付けて登録する際の操作が容易になるとともに、登録に係るメモリ消費を低減することが可能となる。 
【発明を実施するための最良の形態】
【００１５】
以下、図を参照して、本発明の実施形態を詳細に説明する。
本発明の実施形態においては、本発明に係る携帯端末を携帯電話機１とした場合を例にとり説明するが、ＰＨＳ（Personal Handyphone System）端末やパソコン、ＰＤＡ（Personal Digital Assistant）等としてもよい。
【００１６】
まず、構成を説明する。
図１に、本実施形態における携帯電話機１の外観図を示す。
携帯電話機１は、図１に示すように本体が２分割され、その中央部に設けられた連結機構により折り畳み可能に構成されている、いわゆる折り畳み式の携帯電話機である。
【００１７】
携帯電話機１を開いたその正面には、図１（ａ）に示すように、メイン表示部８ａ、キー入力部９が設けられている。メイン表示部８ａは、操作画面や画像等を表示するディスプレイであり、ユーザが携帯電話機１の操作時に主に使用するディスプレイである。
【００１８】
また、キー入力部９は、決定操作を行うための決定キー９１、カーソル操作を行うための十字キー９２、数字、文字等の入力を行うためのテンキー９３、通話の開始及び終了を指示するためのオフフックキー（通話開始ボタン）９４、オンフックキー（通話終了ボタン）９５の他、各種アプリケーションを選択するためのメニューキー９６、アドレス帳モードを起動させるためのアドレス帳キー９７等の各種機能キーを備えている。さらに、携帯電話機１の側面に、撮影の指示操作を行うための撮影キー９８が設けられている。
【００１９】
また、メイン表示部８ａの上部には受話スピーカ５が設けられており、キー入力部９の下部には送話マイク６が設けられている。
【００２０】
携帯電話機１の背面には、図１（ｂ）に示すように、サブ表示部８ｂ及び撮像部１０の撮像レンズ１０ａが設けられている。サブ表示部８ｂは、携帯電話機１を折り畳んだ際に補助的に使用されるディスプレイである。
【００２１】
図２に、携帯電話機１の機能構成例を示す。
図２に示すように、携帯電話機１は、アンテナ２、無線通信部３、音声処理部４、受話スピーカ５、送話マイク６、ＣＰＵ７、表示部８、キー入力部９、撮像部１０、鳴音駆動部１１、スピーカ１２、ＲＯＭ１３、ＲＡＭ１４、メモリ１５等を備える。
【００２２】
無線通信部３は、アンテナ２を介して図示しない無線基地局から受信した無線通信信号を復調処理し、復調したベースバンド信号（デジタル信号）から通信制御データ、音声データ、通信データ等を取得する。この音声データは、音声処理部４を介してアナログ音声信号に変換され受話スピーカ５に出力される。また、通信データは、ＣＰＵ７に読み込まれ、一時記憶メモリであるＲＡＭ１４に出力される。一方、送話マイク６より入力されたアナログ音声信号が音声処理部４で所定のアルゴリズムによりコード化され音声データとして無線通信部３に出力されると、無線通信部３は、音声データに通信制御データ等を付加したベースバンド信号（デジタル信号）を変調処理し、アンテナ２を介して図示しない無線基地局に送信する。
【００２３】
音声処理部４は、無線通信部３を介して入力された音声データをデコード（伸張処理）して、さらにアナログ音声信号に変換したのち、受話スピーカ５を介して出力する一方、送話マイク６を介して入力されたアナログ音声信号をコード化（圧縮処理）して音声データに変換して無線通信部３へ出力する。
【００２４】
ＣＰＵ７は、ＲＯＭ１３に記憶されている各種プログラムの中から指定されたプログラムを読み出し、ＲＡＭ１４内のワークエリアに展開し、上記プログラムとの協働によって各種処理を実行し、その処理結果をＲＡＭ１４の所定の領域に格納するとともに、表示部８に表示させる。
【００２５】
表示部８は、図１（ａ）に示すメイン表示部８ａ、図１（ｂ）に示すサブ表示部８ｂを備えて構成され、ＣＰＵ７からの表示指示に基づいて、各種プログラムの処理により得られた表示データを表示する。
【００２６】
キー入力部９は図１（ａ）に示す決定キー９１、十字キー９２、テンキー９３、オフフックキー９４、オンフックキー９５、メニューキー９６、アドレス帳モードを起動させるためのアドレス帳キー９７等の各種機能キーを備えて構成され、ユーザによるキー操作に応じた操作信号をＣＰＵ７に出力する。
【００２７】
撮像部１０は、図１（ｂ）に示す撮像レンズ１０ａ、ＣＣＤ（Charge Coupled Device）、ＣＭＯＳ（Complementary Metal-Oxide Semiconductor）等の光電変換素子、Ａ／Ｄ変換部等を備えている。撮像部１０では、撮像レンズ１０ａにより取り込まれた光学像を光電変換素子により画像信号に変換し、この画像信号をＡ／Ｄ変換部によりデジタル画像情報（以下、画像データ）に変換し、画像データを取得する。
【００２８】
鳴音駆動部１１は、携帯電話機１の着信時等にＣＰＵ７からの鳴音指示により鳴音信号をスピーカ１２に出力し、鳴音によりユーザに通話やメールの着信等を報知する。
【００２９】
ＲＯＭ１３は、ＣＰＵ７により実行される各種プログラムや、プログラムの実行必要なパラメータ、データ等を記憶している。
ＲＡＭ１４は、ＣＰＵ７により実行される各種プログラム及びこれらプログラムに係わるデータを一時的に記憶するワークエリアを形成する。
【００３０】
メモリ１５は、電気的に内容を消去したり書き換えたりすることができる、半導体のメモリ等で構成され、ＣＰＵ７から書き込まれた各種情報を記憶する。図３は、メモリ１５の記憶領域の詳細を示す図である。同図において、メモリ１５は、アドレス帳データ格納領域１５１、リンク情報格納領域１５２、静止画像メモリ領域１５３及び動画像メモリ領域１５４を有し、ＣＰＵ７からの書き込み動作に応じて、通信の相手先情報としてのアドレス帳情報のデータをアドレス帳データ格納領域１５１に、アドレス帳情報と画像データとの関連付け情報（リンク情報）をリンク情報格納領域１５２に、撮像部１０において撮影された静止画像の画像データや受信された静止画像の画像データを静止画像メモリ領域１５３に、撮像部１０において撮影された動画像の画像データや受信された動画像の画像データを動画像メモリ領域１５４に記憶する。
【００３１】
アドレス帳データ格納領域１５１は、図４（ａ）に示すように、各アドレス帳情報を識別するためのレコード番号を格納するための「レコード番号」領域、名前、名前カタカナ、電話番号、電子メールアドレス等のアドレス帳情報のデータを格納するための「アドレス帳情報」領域、このアドレス帳情報に画像データが関連付けられているか否か（リンクの有無）を示すフラグを格納するための「リンクの有無」領域とを有している。「リンクの有無」領域においては、画像データが関連付けられている、即ち、リンクがある場合はフラグ「１」を、無い場合はフラグ「０」を格納する。なお、デフォルトはフラグ「０」となっている。
【００３２】
リンク情報格納領域１５２は、図４（ｂ）に示すように、「アドレス帳データ格納領域のレコード番号」領域、「画像ファイル名」領域、「フレーム時間」領域及び「位置座標」領域を有し、「アドレス帳データ格納領域のレコード番号」領域で特定されるアドレス帳情報に関連付けられた画像データに関する情報を、そのアドレス帳情報のレコード番号と対応付けて記憶する。
【００３３】
以上が携帯電話機１の機能構成例である。
次に、上記携帯電話機１の動作の詳細について説明する。
図５は、携帯電話機１において実行されるアドレス帳モード処理の流れを示すフローチャートである。アドレス帳モード処理は、着信待ち受け状態の時にアドレス帳キー９７の操作がＣＰＵ７により検出されることによりＲＯＭ１３に記憶されているアドレス帳モードプログラムが起動され、ＣＰＵ７と当該アドレス帳モードプログラムとの協働によるソフトウエア処理により実現される処理である。
【００３４】
アドレス帳モード処理においては、まず、メイン表示部８ａにアドレス帳データ格納領域１５１に記憶されているアドレス帳情報の一覧（例えば、アドレス帳情報の名前一覧）を表示したアドレス帳情報選択画面が表示され、表示されたアドレス帳情報から処理対象となる一のアドレス帳情報の選択を示すキー操作が検出されると（ステップＳ１）、選択されたアドレス帳情報の編集画面（以下、アドレス帳編集画面という。）８１がメイン表示部８ａに表示される（ステップＳ２）。
【００３５】
図６に、アドレス帳編集画面８１の一例を示す。図６に示すように、アドレス帳編集画面８１には、処理対象となるアドレス帳情報を表示するための領域８１０と、表示されたアドレス帳情報に関連付けされている画像がある場合に、この関連付けされている画像を表示するための画像領域８１１を有している。
【００３６】
アドレス帳編集画面８１からステップＳ１で選択されたアドレス帳情報への画像の関連付け登録を指示するキー操作が検出されると（ステップＳ３；ＹＥＳ）、画像登録プログラムが起動され、ステップＳ４〜ステップＳ２４の処理が実行される。
【００３７】
まず、メイン表示部８ａに静止画像から画像を登録するか動画像（ムービー）から画像を登録するかの選択画面（図示せず）が表示され、動画像の登録を選択することを示すキー操作が検出されると（ステップＳ４；ＹＥＳ）、動画像メモリ領域１５４に記憶されている各動画像データのファイル名又は各動画像の先頭フレーム画像のサムネイル画像を一覧表示した動画像一覧画面（図示せず）がメイン表示部８ａに表示される（ステップＳ５）。この動画像一覧画面において、ステップＳ１で選択されたアドレス帳情報に関連付ける一の動画像の選択を示すキー操作が検出されると（ステップＳ６；ＹＥＳ）、選択された動画像がメイン表示部８ａ上に再生される（ステップＳ７）。
【００３８】
動画像を再生している状態において、当該再生されている動画像の登録を指示するキー操作が検出されると（ステップＳ８；ＹＥＳ）、登録する動画像の画像編集を行うか否かを問い合わせる画面がメイン表示部８ａに表示され、登録する動画像の画像編集を行わないことを指示するキー操作が検出されると（ステップＳ９；ＮＯ）、処理はステップＳ１０に移行し、画像編集を行うことを指示するキー操作が検出されると（ステップＳ９；ＹＥＳ）、処理はステップＳ１１に移行する。なお、動画像を再生している状態において、当該再生されている動画像の登録を行わず、動画像一覧画面に戻ることを指示するキー操作が検出されると（ステップＳ８；ＮＯ）、処理はステップＳ５に戻る。
【００３９】
ステップＳ９において、画像編集を行わないことが指示されると、ステップＳ１０においては、ステップＳ１で選択されたアドレス帳情報に、ステップＳ６で選択された動画像を識別するための識別情報として、その画像ファイル名が関連付けて記憶され、本処理は終了する。具体的には、図４（ａ）に示すアドレス帳データ格納領域１５１における、ステップＳ１で選択されたアドレス帳情報に対応する「リンクの有無」領域に、フラグ「１」が書き込まれるとともに、図４（ｂ）に示すリンク情報格納領域１５２に新しいレコードが追加され、追加されたレコードの「アドレス帳データ格納領域のレコード番号」に、当該選択されたアドレス帳情報のレコード番号が書き込まれ、「画像ファイル名」領域にステップＳ６で選択された動画像のファイル名が書き込まれ、記憶される。
【００４０】
ステップＳ９において、画像編集が指示されると、ステップＳ１１において、ステップＳ６で選択された動画像がメイン表示部８ａの再生画面上で再生される。
【００４１】
図７に、動画像データの構成例を示す。図７に示すように、動画像データは、複数のフレーム画像のデータにより構成されている。動画像データは、この動画像データに関する情報を記録するヘッダ情報とともに動画像ファイルを構成している。動画像ファイルのヘッダ情報には、各フレーム画像を識別するためのフレーム画像識別情報として、フレーム画像の再生順番を示すフレーム番号と、そのフレーム画像の再生を開始するフレーム再生開始時間が対応付けて記録されている。また、各フレーム画像のデータには、フレーム番号が対応付けて記憶されている。動画像データに基づき動画像を再生する際には、ヘッダ情報に従って、各フレーム画像がその再生開始時間にメイン表示部８ａに再生される。
【００４２】
図８（ａ）に、ステップＳ１１においてメイン表示部８ａに表示される動画像の再生画面の一例を示す。図８（ａ）に示すように、ステップＳ１１において表示される再生画面の右下には、「ここ」という操作キーが表示されており、アドレス帳情報に関連付けたいシーンが再生されているタイミングでこの操作キーに対応するキー、即ちアドレス帳キー９７を押下することにより、ユーザは、処理対象のアドレス帳情報に関連付けるシーンのフレーム画像を選択することができる。
【００４３】
ステップＳ６で選択された動画像データに基づく動画像の再生中に、アドレス帳キー９７の押下操作が検出されることにより、フレーム画像の選択が検出されると（ステップＳ１２；ＹＥＳ）、選択されたフレーム画像から、静止画像として切り出す画像領域の位置を指定するための位置指定画面（図８（ｂ）参照）が表示される（ステップＳ１３）。
なお、ステップＳ１２で選択されたフレーム画像は、ＭＥＰＧ−２フォーマットのＩピクチャ、Ｐピクチャ、およびＢピクチャのような前後フレームとの差異を利用して圧縮された情報をもとに生成されたフレーム画像でもよく、フレームごとに独立した画像を形成しているフレーム画像でもよい。
【００４４】
図８（ｂ）に、位置指定画面の一例を示す。位置指定画面上には、図８（ｂ）に示すように、アドレス帳情報に関連付けられた画像を表示するときと同等のサイズの画像領域枠Ｆが表示されており、ユーザは、十字キー９２を操作して画像領域枠Ｆを移動させることにより、アドレス帳情報に関連付ける画像領域を指定することができる。なお、図８（ｂ）に示すように、位置指定画面右下にはサイズキーが表示されており、サイズキーに対応するキー、即ちアドレス帳キー９７を押下した後、十字キー９２の上矢印キー又は下矢印キーを押下することにより、画像領域枠Ｆのサイズの変更、即ち、アドレス帳情報に関連付ける画像として切り出す画像領域のサイズ変更を行うことができる。
【００４５】
位置指定画面からカーソルの移動操作が検出されると、カーソルの移動操作に応じて画像領域枠Ｆが移動される（ステップＳ１４）。また、位置指定画面からアドレス帳キー９７の押下が検出されることにより、画像領域枠Ｆのサイズ変更の指示が検出されると（ステップＳ１５；ＹＥＳ）、十字キー９２の上下矢印キーの操作の検出に応じて画像領域枠Ｆが拡大又は縮小され（ステップＳ１６）、決定キー９１の押下が検出されると（ステップＳ１７；ＹＥＳ）、決定キー９１の検出時のサイズに画像領域枠Ｆのサイズが決定される。ステップＳ１３〜Ｓ１７により画像領域枠Ｆのサイズ及び位置が指定され、決定キー９１の押下が検出されると（ステップＳ１８；ＹＥＳ）、ステップＳ１で選択されたアドレス帳情報に、ステップＳ６で選択された動画像の画像ファイル名、その動画像においてステップＳ１２で選択されたフレーム画像のフレーム再生開始時間情報、そのフレーム画像において、前記アドレス帳情報に関連付けるものとして指定された画像領域の識別情報（ここでは、位置座標とする）が関連付けられて記憶され（ステップＳ１９）、本処理は終了する。
【００４６】
具体的には、図４（ａ）に示すアドレス帳データ格納領域１５１における、ステップＳ１で選択されたアドレス帳情報に対応する「リンクの有無」領域に、フラグ「１」が書き込まれるとともに、図４（ｂ）に示すリンク情報格納領域１５２に新しいレコードが追加され、追加されたレコードの「アドレス帳データ格納領域のレコード番号」に、当該選択されたアドレス帳情報のレコード番号が書き込まれ、「画像ファイル名」領域にステップＳ６で選択された動画像のファイル名が書き込まれ、「フレーム時間」領域に、ステップＳ１２で選択されたフレーム画像の再生開始時間が書き込まれ、「位置座標」領域にステップＳ１８で決定された画像領域の位置座標が書き込まれ、記憶される。
【００４７】
一方、ステップＳ４において、静止画像の登録を選択することを示すキー操作が検出されると（ステップＳ４；ＮＯ）、静止画像メモリ領域１５３に記憶されている各静止画像データのファイル名又は各静止画像のサムネイル画像を一覧表示した静止画像一覧画面（図示せず）がメイン表示部８ａに表示される（ステップＳ２０）。この静止画像一覧画面において、ステップＳ１で選択されたアドレス帳情報に関連付ける一の静止画像の選択を示すキー操作が検出されると（ステップＳ２１；ＹＥＳ）、選択された静止画像がメイン表示部８ａ上に表示される（ステップＳ２２）。
【００４８】
静止画像を表示している状態において、当該静止画像の登録を指示するキー操作が検出されると（ステップＳ２３；ＹＥＳ）、ステップＳ１で選択されたアドレス帳情報に、ステップＳ２１で選択された静止画像を識別するための静止画識別情報としてのその画像ファイル名が関連付けて記憶され（ステップＳ２４）、本処理は終了する。具体的には、図４（ａ）に示すアドレス帳データ格納領域１５１における、ステップＳ１で選択されたアドレス帳情報に対応する「リンクの有無」領域に、フラグ「１」が書き込まれるとともに、図４（ｂ）に示すリンク情報格納領域１５２に新しいレコードが追加され、追加されたレコードの「アドレス帳データ格納領域のレコード番号」に、当該選択されたアドレス帳情報のレコード番号が書き込まれ、「画像ファイル名」領域にステップＳ２１で選択された静止画像のファイル名が書き込まれて記憶され、本処理は終了する。
【００４９】
一方、ステップＳ３において、画像登録以外の処理の指示を示すキー操作が検出されると、キー操作に応じた他の処理が実行され（ステップＳ２５）、本処理は終了する。
【００５０】
図９に、図５の処理により動画像の一シーンの静止画像が関連付けられたアドレス帳情報を表示した際の表示例を示す。図９に示すように、アドレス帳情報に関連付けられた動画像の一シーンは、アドレス帳情報を表示する際にともに表示される。またアドレス帳情報に関連付けられた画像は、当該アドレス帳情報を着信履歴や発信履歴を表示する際、アドレス帳情報の相手先からの着信があった場合等においても、画面上に表示される。
【００５１】
以上説明したように、本発明に係る携帯電話機１によれば、キー入力部９の操作により、アドレス帳データ格納領域に記憶されたアドレス帳情報から処理対象となるアドレス帳情報が選択され、動画像の登録が指示されると、動画像メモリ領域１５４に記憶されている動画像データの一覧画面をメイン表示部８ａに表示し、表示された動画像一覧画面から一の動画像が選択されると、選択された動画像をメイン表示部８ａの再生画面上に再生する。この再生画面から処理対象として選択されたアドレス帳情報に関連付けるフレーム画像が選択されると、選択されたフレーム画像から画像領域の位置を指定するための位置指定画面を表示し、フレーム画像から切り出す画像領域が指定されると、処理対象のアドレス帳情報、選択された動画像の画像ファイル名、選択されたフレーム画像のフレーム再生開始時間、及び選択されたフレーム画像における画像領域の位置座標を対応付けてリンク情報格納領域１５２に記憶する。
【００５２】
従って、携帯端末のアドレス帳情報に動画像の一シーンを登録する際に、従来のように、そのシーンのフレーム画像を静止画像としてメモリに保存し、保存した画像をアドレス帳情報に登録するといった煩雑な作業が必要なくなり、登録操作が容易になるとともに、フレーム画像を静止画像として保存するためのメモリ容量も必要なくなり、登録に係るメモリ消費を低減することが可能となる。
【００５３】
また、位置指定画面において、選択されたフレーム画像からアドレス帳情報に対応付ける画像領域を指定することができるので、ユーザが動画像の中の所望のフレーム画像の所望の画像領域を関連付けて登録することが可能となる。
【００５４】
なお、上記実施の形態における記述内容は、本発明に係る携帯電話機１の好適な一例であり、これに限定されるものではない。
【００５５】
例えば、上記実施の形態においては、動画像を構成するフレーム画像のうち選択されたフレーム画像を識別するためのフレーム画像識別情報として、フレーム再生開始時間を用いることとしたが、フレームの再生順番を示すフレーム番号等を用いても良い。また、動画像を識別するための動画識別情報としては、動画像の画像ファイル名の他、画像ファイルを格納している領域のアドレス、画像ファイルに一意に割り付けられたレコード番号等を用いても良い。
【００５６】
また、上記実施の形態においては、画像を関連付ける対象となる、文字を含む情報として、アドレス帳情報を例にとり説明したが、これに限定されず、例えば、スケジュール情報等に画像を関連付ける場合に本発明を適用してもよい。
【００５７】
さらに、アドレス帳、リンク情報、静止画、動画など本発明に係わる情報を記憶するメモリは、携帯電話機１の本体に内蔵されたメモリ１５に限定するものではなく、外部インタフェイスを介して接続される、外部メモリや契約者情報を記憶した加入者識別カードに内蔵されたメモリとしてもよい。  
【００５８】
その他、携帯電話機１の細部構成及び細部動作に関しても、本発明の趣旨を逸脱することのない範囲で適宜変更可能である。
【図面の簡単な説明】
【００５９】
【図１】本発明に係る携帯電話機１の外観を示す図である。
【図２】図１の携帯電話機１の機能的構成を示すブロック図である。
【図３】図２のメモリ１５の記憶領域の詳細を示す図である。
【図４】（ａ）は、図３のアドレス帳データ格納領域１５１のデータ格納例を示す図、（ｂ）は、図３のリンク情報格納領域１５２のデータ格納例を示す図である。
【図５】図２のＣＰＵ７により実行されるアドレス帳モード処理を示すフローチャートである。
【図６】アドレス帳編集画面８１の一例を示す図である。
【図７】動画像データの構成例を示す図である。
【図８】（ａ）は、図５のステップＳ１１においてメイン表示部８ａに表示される動画像の再生画面の一例を示す図、（ｂ）は、図５のステップＳ１３においてメイン表示部８ａに表示される位置指定画面の一例を示す図である。
【図９】図５の処理により動画像の一シーンの静止画像が関連付けられたアドレス帳情報を表示した場合の表示例を示す図である。
【符号の説明】
【００６０】
１  携帯電話機
２  アンテナ
３  無線通信部
４  音声処理部
５  受話スピーカ
６  送話マイク
７  ＣＰＵ
８  表示部
８ａ  メイン表示部
８ｂ  サブ表示部
９  キー入力部
１０  撮像部
１１  鳴音駆動部
１２  スピーカ
１３  ＲＯＭ
１４  ＲＡＭ
１５  メモリ
１５１  アドレス帳データ格納領域
１５２  リンク情報格納領域
１５３  静止画像メモリ領域
１５４  動画像メモリ領域
【図１】
0004569459.tif 000002
【図２】
0004569459.tif 000003
【図３】
0004569459.tif 000004
【図４】
0004569459.tif 000005
【図５】
0004569459.tif 000006
【図６】
0004569459.tif 000007
【図７】
0004569459.tif 000008
【図８】
0004569459.tif 000009
【図９】
0004569459.tif 000010